(57)【要約】放送システム（１、２、３、４）を介する、あるいは他の手段（１４、１５、１７）を介する情報の普及のための方法及びシステム。電気通信端末（７）は、電気通信網（５）を介して情報サーバ（１２）にアクセスすることができる。興味のある第1情報ブロックを聞いた、見た、あるいは読んだユーザは、該情報サーバ（１２）に自分の電気通信端末（７）を介して電話をすることによりそれを選択する。選択コードに基づいて、情報サーバは二次情報ブロックを選択し、それをユーザに送信する。ユーザのアドレスは電気通信端末（７）のＣＬＩから引き出すことができる。さらに、二次情報は、そのＣＬＩに対応する端末（７）に直接的に返すことができる。
2004530963.tif 000002
【特許請求の範囲】
【請求項１】
情報が複数のユーザに分散システムにより分散され、
ａ．ユーザが情報サーバ（１２）に電気通信端末（７）を介して電話をかけることにより一次情報ブロックを選択するステップと、
ｂ．情報サーバが一次情報ブロックに関係する選択コードを記録するステップと、
ｃ．選択コードに基づき、情報サーバが二次情報ブロックを選択し、それをユーザに送信するステップと、によって特徴付けられる情報の普及のための方法。
【請求項２】
選択コードがユーザによって情報サーバに送信されることを特徴とする請求項１に記載の方法。
【請求項３】
情報サーバが、一次情報ブロックが送信された時間に関係するタイムコードを選択コードとして記録することを特徴とする請求項１に記載の方法。
【請求項４】
ユーザが情報サーバにタイムコードを送信することを特徴とする請求項３に記載の方法。
【請求項５】
タイムコードが、電話の時間の関数として決定されることを特徴とする請求項３に記載の方法。
【請求項６】
タイムコードが、電気通信端末（７）が情報サーバ（１２）に電話をかける時間から引き出されることを特徴とする請求項５に記載の方法。
【請求項７】
タイムコードが、情報サーバ（１２）が電気通信端末（７）から呼を受信する時間から引き出されることを特徴とする請求項５に記載の方法。
【請求項８】
分散システムが、それを介して情報が普及される複数の分散モジュールを備え、特定の分散モジュールを介して興味のある一次情報ブロックを聞いた、あるいは見たユーザが、電気通信端末（７）及び電気通信網（５）を介して情報サーバ（１２）に電話をかけ、一次情報ブロックがそれを介して受信された分散モジュールに対応する分散モジュールコードを提示することによってその一次情報ブロックを選択することを特徴とする請求項１に記載の方法。
【請求項９】
分散システムが、情報がそれを介して普及される複数の分散モジュールを備え、情報サーバ（１２）が複数のネットワークアドレスを介して呼び出すことができ、前記複数のネットワークアドレスが複数の分散モジュールに対応し、特定の雲散モジュールを介して興味のある一次情報ブロックを聞いた、または見たユーザが、電気通信端末（７）及び電気通信網（５）を介して、一次情報ブロックがそれを介して受信された分散モジュールに対応するネットワークアドレスにアドレス指定された、情報サーバに電話をかけることによってその一次情報ブロックを選択することを特徴とする請求項１に記載の方法。
【請求項１０】
複数の分散モジュールが、複数の伝送チャネルまたは放送局により形成されることを特徴とする請求項８または９に記載の方法。
【請求項１１】
複数の分散モジュールが多様な放送組織の放送ブロックにより形成されることを特徴とする請求項８または９に記載の方法。
【請求項１２】
二次情報ブロックの相真先のアドレスが、ユーザにより使用される電気通信端末（７）の識別コード（ＣＬＩ）から引き出されることを特徴とする請求項１に記載の方法。
【請求項１３】
ユーザが、初期ログインステップで、二次情報ブロックの送信先のアドレスを情報サーバ（１２）に指定することを特徴とする請求項１に記載の方法。
【請求項１４】
二次情報ブロックがユーザの電気通信端末（７、７‘）に送信されることを特徴とする請求項１に記載の方法。
【請求項１５】
二次情報ブロックがユーザの情報／データ端末（１０、７‘）に送信されることを特徴とする請求項１に記載の方法。
【請求項１６】
分散システム（１、２）が二次情報ブロックのレジスタを維持することを特徴とする請求項１に記載の方法。
【請求項１７】
情報サーバ（１２）が二次情報ブロックのレジスタを維持することを特徴とする請求項１に記載の方法。
【請求項１８】
二次情報ブロックが一次情報ブロックまたはその一部を有することを特徴とする請求項１に記載の方法。
【請求項１９】
二次情報ブロックが一次情報ブロックの情報に対する追加である情報を有することを特徴とする請求項１に記載の方法。
【請求項２０】
二次情報ブロックが１つまたは複数の追加情報ブロックに対する参照を有することを特徴とする請求項１に記載の方法。
【請求項２１】
二次情報ブロックが１つまたは複数のハイパリンクを有することを特徴とする請求項１に記載の方法。
【請求項２２】
複数のユーザに対する情報の分散のために分散サーバ（２、５）を備える分散システムを有する情報の普及のためのシステムであって、情報サーバが、電話を受けたときに、その一次情報ブロックに関係する選択コードを記録するための手段、及び受信された選択コードに基づき二次情報ブロックを選択し、選択された二次情報ブロックをユーザに送信する手段をさらに備える、電気通信網（５）を介してアクセス可能な情報サーバ（１２）によって特徴付けられるシステム。
【請求項２３】
電気通信端末（７）から情報サーバ（１２）に電話がかけられた時間と対応するタイムコードを選択コードとして記録する手段によって特徴付けられる請求項２２に記載のシステム。
【請求項２４】
分散システムが、それを介して情報が普及される複数の分散モジュールを備え、ユーザが電気通信端末（７）及び電気通信網（５）を介して情報サーバ（１２）に電話をかけ、それを介して一次情報ブロックが受信されえた分散モジュールに対応する分散モジュールコードを提示し、情報サーバが受信した呼とともに分散モジュールを記録する手段と、受信した選択コードに基づき二次情報ブロックを選択する手段とを備えることを特徴とする請求項２２に記載のシステム。
【請求項２５】
分散システムが、それを介して情報が普及される複数の分散モジュールを備え、情報サーバ（１２）が電気通信網（５）に複数のネットワークアドレスを介して接続され、前記複数のネットワークアドレスが複数の分散モジュールに対応し、ユーザが、電気通信端末（７）及び電気通信網を介して、一次情報ブロックがそれを介して受信されえた分散もウールに対応するネットワークアドレスにアドレス指定された、情報サーバに電話をかけることによって一次情報ブロックを選択し、情報サーバがユーザによって選ばれるネットワークアドレスに基づいて二次情報ブロックを選択する手段を備えることを特徴とする請求項２２に記載のシステム。
【請求項２６】
情報サーバ（２）が、ユーザによって使用される電気通信端末（７）の識別コード（ＣＬＩ）から、二次情報部録野送信先のアドレスを引き出す手段を備えることを特徴とする請求項２２に記載のシステム。
【請求項２７】
情報サーバ（１２）が、初期ログインステップにおいて、二次情報ブロックが送信されるユーザにより指定されるアドレスを記録する手段を備えることを特徴とする請求項２２に記載のシステム。
【請求項２８】
分散サーバ（２、１５）が二次情報ブロックのレジスタを備えることを特徴とする請求項２２に記載のシステム。
【請求項２９】
情報サーバ（１２）が二次情報ブロックのレジスタを備えることを特徴とする請求項２２に記載のシステム。
【請求項３０】
分散サーバ（２、１５）及び情報サーバ（１２）が、分散サーバと情報サーバの両方で分散される二次情報ブロックのレジスタを備えることを特徴とする請求項２２に記載のシステム。
【請求項３１】
レジスタ内の二次情報ブロックが、関連する一次情報ブロックまたはその一部を備えることを特徴とする請求項２８から３０に記載のシステム。
【請求項３２】
二次情報ブロックが、関連一次情報ブロックの情報に対する追加である情報を備えることを特徴とする請求項２８から３０に記載のシステム。
【請求項３３】
二次情報ブロックが１つまたは複数の追加情報ブロックに対する参照を備えることを特徴とする請求項２８から３０のシステム。
【請求項３４】
無線媒体を介した情報の分散のための手段（１、２、４、５）によって特徴付けられる請求項２２に記載のシステム。
【請求項３５】
印刷形式での情報の分散のための手段（１４、１５、１７）によって特徴付けられる請求項２２に記載のシステム。
【発明の詳細な説明】
【技術分野】
【０００１】
本発明は、情報が分散システムによって複数のユーザに送信される情報の普及の方法に関わる。本発明は、本発明による方法の実現のための手段も有するシステムにも関わる。
【背景技術】
【０００２】
このような方法及びシステムは、一般的には、例えばラジオ放送またはテレビ放送として知られている。聴覚情報または視覚情報は、番組が作成されるスタジオおよびそれらが放送される送信機を備える放送システムによりそれぞれレポート、ニュース、音楽、広告等の形で伝送される。受信機側では、一斉送信された情報が、「放送端末」――ラジオまたはテレビの受信機によって「ユーザ」によって受信される。
【０００３】
現在、ユーザは、それぞれ無線受信機またはテレビジョン受信機を聞いているあるいは見ている間にさらに詳しく知りたいと考える情報を聞く、あるいは見る場合、通常、この情報を得るのは骨が折れる。例えば広告ブロックにおいて――電話番号またはインターネットアドレス（ｗｗｗまたは電子メールアドレス）が示される場合も、電話番号またはアドレスを書き留めてから、電話またはＰＣを介してそれに連絡する必要があるので所望される情報を得るのは依然として手間がかかる非効率的な手順である。例えばスポーツイベントのテレビ画面などを、将来再び見るまたは聞くことができるというニーズも感じられることがある。
【０００４】
ラジオ放送システムまたはテレビ放送システムに対するその応用と同様に、本発明は、例えば情報が新聞、広告フォルダ等の活字メディアを介して普及されることによる従来の分散システム、あるいはインターネット、衛星等を介するなどまだ予見されていない他の分散システムにも応用できる。ポスター、広告看板、電光文字掲示板等も本発明の範囲に該当する。本発明は、ここでラジオ及びテレビを介する情報の分散におけるその応用に関して説明されるが、他の媒体を介した情報分散の可能性にも言及する。
【発明の開示】
【発明の実施の態様】
【０００５】
目的
本発明は、ユーザが、（これ以降「一次情報ブロック」と呼ばれる）分散システムを介して送信される情報を読んでいる、聞いている、あるいは見ている間に、（これ以降「二次情報ブロック」と呼ばれる）追加の情報を人間が介入せずに指示できる方法及びシステムを提案する。本発明は情報の採取者――カスタマ、視聴者及び聴取者――と、この場合広告代理店、サービスプロバイダ及び製品提供者、ラジオ事業者とテレビ事業者等である情報の提供者の両者にとって有益である。該方法は、ラジオ、テレビ、インターネット、活字メディア、広告看板等の複数の媒体に適用可能である。
【０００６】
端的に言えば、本発明のある態様は以下のように要約できる。聴取者、視聴者または読者――「ユーザ」――は興味のあるニュース項目――「一次情報ブロック」――を聞く、見る、あるいは読むと自分の携帯電話――情報サーバ――を介して情報サーバに連絡し、それから人間の介入なしに問題のニュース項目に関する選択コードを送信し、該情報サーバはそれに基づいてユーザに（追加の）情報――「二次情報ブロック」――を送信する。情報ブロックに選択コードを「ラベル付けする」多くのオプションがある。さらに、情報サーバは、二次情報が送信される（伝送媒体の表示を含む）アドレス（およびどのようにして二次情報が送信されるのか）を持たなければならない。これにも多くのオプションが使用できる。
【０００７】
本発明は、相応して、情報が分散システムにより複数のユーザに分散され、
ａ．興味のある一次情報ブロックを聞いた、見たまたは読んだ――ユーザが、電気通信端末を介して情報サーバに電話をかけることによってその一次情報ブロックを選択するステップと、
ｂ．情報サーバが一次情報ブロックに関係する選択コードを記録するステップと、
ｃ．該選択コードに基づいて情報サーバが二次情報ブロックを選択し、ユーザにそれを送信するステップと、
が実行される情報の普及のための方法及びシステムを有する。
【０００８】
選択コード
選択コードは手作業で情報サーバに送信でき、自動的に送信できる場合もある。選択コードの手動送信の場合、ユーザは、一次ブロックにラベルを付けるコードを知っていなければならない。該コードは、例えば関連する情報ブロック（「さらに情報がありますか？選択コード１２３４で「スナップショット」（０９００ＳＮＡＰＳＨＯＴ）にテキストメッセージを送信してください」）で指定してよい。特に、通常「スナップショット」番号（「スナップショット」は提案されているサービスの名称である場合があるだろう）が一般に知られていた場合――及び、「スナップショット」電話番号が大部分の携帯用ハンドセットにプログラムされていた場合には、「さらに情報がありますか。スナップショット１２３４」で十分だろう。その後、ユーザは関連選択コードを入力し、ＳＭＳを介してそれを「スナップショット」サーバ（情報サーバ）に送信するだけでよい。ちなみに「スナップショット」が文字から構成される場合もある。
【０００９】
ラジオ及びテレビ
ここで放送システムを介した情報の分散に適用可能である本発明の特殊な態様を説明する。原則的には、ラジオ及びテレビを用いて無線受信機と電話の間で――直接的にあるいは赤外線、ＤＥＣＴまたは「ブルーツース」を介してのどちらかにより――電気通信端末に、及び情報サーバに（人間の介入なしに）要求選択コードを送信できるようにするリンクをセットアップすることは可能である。電話及び無線受信機またはテレビジョン受信機が単一の装置に結合される場合、無線受信機／テレビ受信機からの選択コードの電話部分への直接的な伝送は非常に簡略である。
【００１０】
タイムコード
しかしながら、無線受信機またはテレビジョン受信機と電話の間にリンクがない場合、情報サーバが一次情報ブロックが送信された時間に関係しているタイムコードを選択コードとして記録することが可能である。情報サーバは――おそらく放送システムとともに――一方ではタイムコードに、及び他方では多様な番組構成要素が送信される放送システム内または情報サーバ内で既知である時間に基づいて、追加の――二次――情報が要求された番組構成要素を決定する手段を有していなければならない。オプションは、ユーザがタイムコード（ここでは放送時間）を情報サーバに送信することである。この優位点は、ユーザが後になってこれを実行できるという点である。不利な点は、ユーザが放送時間を記憶する、あるいはそれを書き留めなければならないという点、及びこの時間が、手作業で入力されなければならず、それは――電話使用時には必ず――簡単なことではないという点である。別のオプションとは、タイムコードを、情報サーバに電話がかけられた時間、つまり電気通信端末が情報サーバに電話をかける時間（電話により記録される送信時間）あるいは情報サーバが電気通信端末から電話を受ける時間（情報サーバによって記録される受信時間）のどちらかとして決定することである。後者の場合、ユーザは、情報サーバにより記録される時間は選択された一次情報ブロックの表示であるため、情報サーバに電話をかけるだけで十分である。
【００１１】
タイムウィンドウ
情報サーバに電話がかけられた瞬間から引き出されるタイムコードを使用するときには、このタイムコードはつねに一次情報ブロックが送信される瞬間より後であるため、情報サーバは、要求された二次情報ブロックを選択するときには、例えば５分というタイムウィンドウなど、ユーザが興味のある情報がこのタイムウィンドウの範囲に入っていることを保証するほど十分に大きいタイムウィンドウを設定しなければならない。したがって、自分が必要とする特定の情報を（この場合には――５分という番組時間についての）受信された情報から選択するのはユーザの責任である。
【００１２】
分散モジュール
分散システム、ここでは放送システムは、通常、それを介して情報が普及される複数の分散モジュール――伝送チャネル及び送信局（例えば１０１ＭＨｚ）または放送プロバイダ（例えばＲＴＬ４）等――を備えている。ある特定野分散モジュールを介して、ユーザが興味のある一次情報ブロックを聞いて、あるいは見て、電気通信端末及び電気通信網を介して情報サーバに電話をかけることによりその一次情報ブロックを選択する場合、選択コードは、一次情報ブロックがそれを介して受信された分散モジュールに対応する分散モジュールコードで補足されなければならない。
【００１３】
分散モジュールコードの使用の代替策は、情報サーバを呼び出すことができる複数の電話番号（一般的には、ネットワークアドレス）を使用することであり、それにより多様なネットワークアドレスは多様な分散モジュールに対応する。特定の分散モジュールを介して興味のある一次情報ブロックを自分の受信機端末を介して聞いた、または見たユーザは、それから、それを介して興味のある一次情報ブロックを聞いたまたは見た分散モジュールと対応する情報サーバのネットワークアドレスに電話をかけることによってその一次情報ブロックを選択する。
【００１４】
ユーザアドレス
要求された二次情報は、特定のアドレスに特定の媒体を介して情報サーバによって送信されなければならない。必要な場合、あるいは所望される場合、ユーザは、二次情報ブロックが送信されることになる情報サーバに対し初期ログインステップでアドレスを指定する。これは、二次情報ブロックが送信されることになるアドレスを、情報サーバを呼び出すためにユーザにより使用される電気通信端末の識別コード――例えば、「発呼回線識別子（Ｃａｌｌｉｎｇ  Ｌｉｎｅ  Ｉｄｅｎｔｉｆｉｅｒ）」（ＣＬＩ）――から引き出す可能性を提供する。所望される場合、情報サーバは、このようなＣＬＩ及びユーザアドレスを有する特殊サーバからユーザのアドレスを入手できる。このようなシステムはＫＰＮという名称で提出された過去の特許出願で提案されている。
【００１５】
それから――初期ログインを必要とせずに――発呼端末に、つまり電気通信網を介して発呼端末のＣＬＩに情報を送信することも可能である。これは、より進化した端末（ＷＡＰ、Ｉ−モード、ハンドヘルド）にとって特に有効な可能性である。
【００１６】
情報ブロック
二次情報ブロックは――選択コードの関数または一次情報部録のタイムコードとして――分散システムの中のレジスタ内に、あるいは情報サーバ内のレジスタの中に記憶し、最新に保つことができる。このレジスタは、例えば分散型データベースの形を取り、分散システム及び情報サーバ上で分散され、分散システムと情報サーバが例えばＩＰデータネットワークを介して互いと相互に作用することもできる。
【００１７】
二次情報ブロックは一次情報ブロックまたはその一部を有することがある。特に、例えばサッカーの試合の重要なゴールの繰り返し（二次ブロック）などの送信された番組（一次ブロック）の一部の反復が要求されるときに当てはまる。二次情報ブロックは、ラジオを介して部分的に聞かれたＣＤの注文情報などの一次情報ブロックの情報に追加される情報を有することがある。二次情報ブロックは、ハイパリンクを二次情報ブロックに含めることによって1つまたは複数の追加情報ブロックに対する参照を有することもある。
【００１８】
インプリメンテーション
ここで２つの示されている実施形態に関して本発明をさらに詳しく説明する。
【００１９】
図1は、ラジオ及びテレビ用の実施形態である。図１は、無線受信機３及びテレビ受信機４などの複数の放送端末に対する情報の分散（放送）のための放送サーバ２を含む放送システム１を示す。図１は、電気通信端末７がそれを介して互いに通信できる（基地局６を含む）（移動）電気通信網５も示す。図１は――アクセスサーバ（「インターネットサービスプロバイダ」）――を介して端末１０が互いと、及びネットワーク９に接続される情報サーバ１２となど、ネットワーク９を介して放送サーバ２と相互に作用する、ネットワーク９に接続される情報サーバ１２などのネットワーク９に接続されるサーバと情報を交換できる（ＩＰ）ネットワーク９（インターネット）も示す。
【００２０】
運用
自分の放送端末３または４によって、もう一度見るまたは聞くことを希望する、あるいは追加の情報（「二次情報ブロック」）を受信することを希望する情報（「一次情報ブロック」）を聞いた、または見たユーザは、自分の電気通信端末７及び電気通信網５を介して情報サーバ１２に電話をかけることによりその一次情報ブロックを選択する。情報サーバ１２は、電話を受けたときに、発呼ユーザのアドレスだけではなく、その一次情報ブロックに関係する選択コードも記録する手段を備える。情報サーバ１２は、さらに、受信した選択コードに基づいて、二次情報ブロックを選択し、選択された二次情報ブロックをユーザに送信する手段も備える。
【００２１】
選択コードは、ユーザによって情報サーバ１２（「スナップショットサーバ」）に手動で送信できるが、ユーザはその場合、例えばラジオ番組やテレビ番組で指定されるコードなどのそれにより番組を指定するためのコード（「詳細については、ＳＭＳ経由でコード１２３４５を「スナップショット」に送信してください」）を知っていなければならない。別のオプションは、放送端末３または４と電気通信端末７の間に――ＩＲ、ＤＥＣＴまたは「ブルーツース」を経由して――要求された選択コードを（人間の介入なしに）電気通信端末に、次に情報サーバに送信できるリンクをセットアップすることである。放送受信機（３、４）として、電気通信端末（７）として、及び情報／データ端末（１０）として機能できる端末が市販されることが予想される。この場合は、このような結合型の端末の放送受信機部分をその電気通信部分にリンクすることは問題ないだろうし、選択コードは、電気通信部分（７）に、及び情報サーバ１２に直接的に送信される放送受信機部分（３、４）の特定の設定（受信チャネル、同調送信機等）によって送信できるだろう。さらに、情報サーバ１２から要求された二次情報は、その同じ結合型の端末に、つまり情報／データ部分（１０）に送り返すことができるだろう。
【００２２】
しかしながら、無線受信機またはテレビジョン受信機と電話の間にリンクがない場合には、情報サーバが、一次情報ブロックが送信された時間に関係するタイムコードを選択コードとして記録することがオプションである。その場合、情報サーバ１２は――放送サーバ２とともに――一方では受信されたタイムコードに、及び他方では多様な番組構成要素が送信される放送システム内または情報サーバ内で既知の時間に基づいて、追加の二次情報が要求された番組構成要素を決定する手段を備える。オプションは、ユーザがタイムコード（ここでは放送時間）を情報サーバに送信することである。この優位点は、ユーザが後になってこれを行うことができるという点である。しかしながら、不利な点は、ユーザが放送時間を記憶するか、それを書き留めなければならないということと、これが手作業で入力されなければならず、それは――電話を使用しているときには必ず――容易ではないという点である。別のオプションは、情報サーバに電話がかけられた時間、つまり電気通信端末が情報サーバに電話をかける時間（電話によって記録される送信時間）、あるいは情報サーバが電気通信端末から電話を受ける時間（情報サーバによって記録される受信時間）のどちらかの関数として決定できる。後者の場合、情報サーバによって記録される時間は選択された一時情報ブロックの表示であるため、ユーザが（追加のコードなしで）情報サーバに電話をかけるだけで十分である。情報サーバに電話がかけられた瞬間から引き出されるタイムコードを使用するとき、そのタイムコードはつねに、一次情報ブロックが送信された瞬間より後となるため、情報サーバは、要求された二次情報ブロックを選択するときに、例えば５分というタイムウィンドウなどの、ユーザが興味のある情報がこのタイムウィンドウの範囲に含まれることを保証するほど十分に大きいタイムウィンドウを設定しなければならないだろう。したがって、自分が必要とする特定の情報を（この場合――５分という番組時間についての）受信された情報から選択するのはユーザの責任である。
【００２３】
放送システム１は、複数のチャネル及び複数の放送組織を意味する複数の放送モジュールを介して一斉送信される情報を普及する。例えば、第１チャネルは、放送組織Ａ、Ｂ、Ｃによって連続して使用され、第２チャネルは組織Ｂ、Ｄ及びＥによって連続して使用される等である。対象となる情報供給者に連絡するために、ユーザは情報サーバ１２に電話をかけ、ユーザが興味のあった一次情報ブロックがそれを経由して受信された放送モジュールに対応する分散モジュールコードを提示する。情報サーバ１２は――選択コードまたはタイムコードに加えて――受信した呼とともに分散モジュールコードも記録し――それに基づき――二次情報ブロックを選択する手段を備える。このオプションでは、情報サーバ１２はすべての場合に同じネットワークアドレス（電話番号）を介してアクセスされる。情報供給者は、分散モジュールコードで指定される。別のオプションは、分散モジュールコードは使用しないが、それぞれ情報供給者（放送モジュール）を表すいくつかのネットワークアドレスを介して情報サーバ１２を選択することにより関連する情報供給者に対する参照を取得することである。情報サーバ１２は、ユーザによって選ばれるネットワークアドレスに基づいて二次情報ブロックを選択する手段を備える。
【００２４】
情報サーバ１２は、二次情報ブロックが送られるユーザによって指定されるアドレスを（初期の）ログインステップで記録する手段を備える。情報サーバ１２は、相応して、二次情報ブロックが送信されるアドレスから電気通信端末の識別コード――例えばＣＬＩ――を引き出す手段を備える。
【００２５】
ちなみに、要求された二次情報（ブロック）を（別の）情報／データ端末１０にではなく、例えばＳＭＳ（「ショートメッセージシステム」）メッセージの形で電気通信端末７に送り返すことも可能である。端末７が、例えばＷＡＰ、Ｉ−Ｍｏｄｅ等の適用によって、さらに進化した（及びブロードバンド）情報の受信及び再生に適している場合――その場合、端末７は、事実上、結合型の電気通信／情報端末（７／１０）である――情報サーバはすべての（または大部分の）種類の二次情報を送り返すことができる。この場合、情報サーバ１２に電話かけた端末７のソースアドレス（ＣＬＩ）に情報が送り返されるＳＭＳの「応答」機能を利用することは簡単なことである。情報サーバ１２は、それ自体で情報送信先のアドレスを検出できるため、言うまでもなく、ユーザは「応答」機能を利用するとき初期ログインステップで自分の（「応答」）アドレスを指定する必要はない。その場合、二次情報はネットワーク９を介してではなく、ネットワーク５を介してユーザに（つまり、ユーザの端末１０に）送信される。インターネット９から――サーバ２またはインターネットに接続される他のサーバから――出て来る情報は、それから情報サーバ１２に送られ、情報サーバはネットワーク５を介して、情報サーバに電話をかけることにより追加の二次情報を要求した端末７に情報を送信する。
【００２６】
情報サーバ１２が要求された二次情報ブロックを選択コード等により示される一次情報ブロックで検出できるようにするために、情報サーバ１２または放送システム――特に放送サーバ２――または両方ともいっしょに、多様な一次情報ブロックに関係する二次情報ブロックのレジスタを備えることがある。レジスタ内の二次情報ブロックは関連する一次情報ブロック――またはその一部を備えることがある。これは、特に――選択コードの一部として――一次情報ブロックの繰り返しが要求される場合に当てはまる。二次情報ブロックは、さらに、関連する一次情報ブロックの情報に追加される情報を有することがある。二次情報ブロックは、１つまたは複数の追加の情報ブロックに対する参照を有することがある。ここでは、１つまたは複数の（ＩＰベースの）ハイパリンクを利用できる。
【００２７】
図に関しては、二次情報を（初期ログインステップで指定される）郵便宛て先に郵便により、自分の端末１０、あるいはＷＡＰ及びＩ−モード端末等などの――図の１番上にある端末７‘を参照すること――電気通信及びデータまたはマルチメディアの両方のために適している（移動）端末に電子メールにより送ることができることが指摘される。
【００２８】
ちなみに、例えばＳＭＳ（「ショートメッセージシステム」）メッセージの形で、要求された二次情報（ブロック）を情報／データ端末１０にではなく、電気通信端末７に送信することはすでに可能である。端末７が、ＷＡＰ、Ｉ−Ｍｏｄｅ等の応用によりさらに進化した情報の受信及び再生に適している場合――その場合端末７は事実上、結合型の電気通信／情報端末（７／１０）である――情報サーバ１２は、すべての（あるいは大部分の）種類の二次情報を端末７に送り返すことができる。この場合、情報サーバ１２に電話をかけた端末７のソースアドレス（ＣＬＩ）に情報を送り返すＳＭＳの「応答」機能を利用することは簡単なことである。
【００２９】
二次情報として、完全なインターネットページが送信できるか、あるいはそのページのＵＲＬだけを端末１０またはＷＡＰ端末７を介して情報サーバ１２から、放送サーバ２から、あるいは別のサーバからインターネット９を介して要求できるかのどちらかである。これは特に、二次情報がＵＲＬまたはハイパリンクの形だけで送信される場合に当てはまる。
【実施例１】
【００３０】
ここでいくつかの例を用いて運用を説明する。
【００３１】
２００１年１月３日使用日の１１：４５分頃、ユーザがラジオによってクラシックのＦＭ局（ＦＭ９０．７）を聞いていて、例えばかけられたばかりのトラックを含むＣＤについての情報など、さらに多くを知りたいと考える１曲の音楽を聴いたと仮定する。現在まで、この大いに論理的な希望は、非常に根気が要る方法でしか達成できない。この希望がさらに容易にかなえられるのであれば、興味のある聴取者にとっても、ＣＤメーカと業者にとってもきわめて魅力的だろう。
【００３２】
本発明を利用すると、聴取者は――その曲（「一次情報ブロック」）を聴いている間、またはきいた後に――携帯電話７及びネットワーク５を介して情報サーバ１２に電話をかけ、このようにして自分がこの場合にはＣＤについての追加情報（「二次情報ブロック」）の受信を希望することを示す。要求された二次情報ブロックは、選択コードに、この例では例えば２００１．０１．０３−１１：４８（２００１年１月３日−１１：４８分）などの、情報サーバ１２がユーザから電話を受けた時間に基づいて情報サーバ１２自体により記録されるタイムコードなどのタイムコードよって特徴付けられる。情報サーバに電話がかけられた瞬間から引き出されるタイムコードを使用するとき、そのタイムコードは、つねに一次情報ブロックが送信された瞬間より後であるため、情報サーバは、要求された二次情報ブロックを選択するときに、情報サーバは、ユーザが興味のある情報が、例えば５分という時間ウィンドウなどの、このタイムウィンドウの範囲内に入ることを保証するほど十分に大きいタイムウィンドウを設定しなければならないだろう。したがって、情報サーバ１２は、１１：４３−１１：４８というタイムウィンドウを選択し、その期間中に二次情報を送信する。例として、私達は２００１年１月３日水曜日にクラシックＦＭ局（ＮＬ）によってユーザに放送された「録音テープリスト」から５分間のウィンドウを採取するものとする。
【００３３】
親愛なる聴取者へ
当社では、２００１年１月３日に、あなたのメッセージと「クラシックＦＭ」が１１：４３分と１１：４８分の間に放送した音楽についての追加情報のリクエストを受け取りました。ハイパリンクをクリックすると、インターネット経由で追加情報を要求できます。皆さんがさらに聞いて楽しんでくれることを願っています。クラシックＦＭ
１１：４０  ５：５６  ロバート−シューマン−ハ長調ｏｐ．１８のアラベスク――ピアノＪｏｏｐ  Ｓｔｏｋｋｅｒｍａｎｓ――アーケード  ９９１７９
１１：４６  ６：４５  Ｇｉｏａｃｈｉｎｏ  Ｒｏｓｉｎｉ――Ｐｅｔｉｔｅ  ｍｅｓｓｅ  ｓｏｌｅｎｎｅｌｌｅ――Ｋｙｒｉｅ  Ｒｉｃｃａｒｄｏ  Ｃｈａｉｌｌｙ――Ｏｒｃｈｅｓｔｒａ  ｅ  ｃｏｒｏ  ｄｅｌ  Ｔｅａｔｒｏ  Ｃｏｍｕｎａｌｅ  ｄｉ  Ｂｏｌｏｇｎａ――Ｄｅｃｃａ  ４４４  １３４  ２
ユーザは、自分が望む情報を自身で選択しなければならない。ユーザがそれを１１：４５分に聞いたのであれば、それは――この例では――シューマンの「ハ調のアラベスク」であったに違いない。追加情報として――前記に下線を付して示されるような――メッセージが、例えばｈｔｔｐ：／／ｗｗｗ．ｎｌ．ｂｏｌ．ｃｏｍ／ｃｅｃ／ｃｓｔａｇｅ？ｅｃｃｏｏｋｉｅ＝＆ｅｃａｃｔｉｏｎ＝ｂｏｌｐｒｄｉｔｍｖｉｅｗ＆ＰｒｄＩｄ＝１０００００４００１２３５４７５などの注文連絡先に対するハイパリンクを含む複数のメッセージ項目についての追加情報源に対するハイパリンクを有することがある。このようなハイパリンクは、言うまでもなく、「聴取者」に対してだけではなく、ＢＯＬ、ＡＭＡＺＯＮ、ＢＡｒＮＥＳＡＮＤＮＯＢＬＥ等のＣＤの配給業者にとっても非常に興味深い。
【００３４】
情報サーバ１２に電話をかけている間に、ユーザは（おそらく「音声応答」システムを介して）９０．７ＭＨｚで放送しているステーション／事業者「クラシックＦＭ（ＮＬ）」を表す「９０７など」の、それを介して一次情報ブロックが受信されたラジオチャネル、ラジオ局、または放送会社に対応するコード（「分散モジュールコード」）を情報サーバ１２に入力できる。分散モジュールオードの使用の代替策は、情報サーバを呼び出すことができ、複数の放送モジュールに対応する複数の電話番号を使用することである。この場合、ユーザは０９００  ９０７または――「指名ダイヤル呼び出し」によって――０９００  ＣＬＡＳＳＩＣＦＭをダイヤルし、このようにして情報サーバを呼び出す。ダイヤルされた番号に基づき、情報サーバは、ユーザが興味のある一次情報ブロックを受け取った放送モジュールを検出する。同様にして、つまり情報サーバ１２に分散モジュールコード（例えば）「１００７」（ラジオＩは１００．７ＭＨｚで送信している）を渡すことによって、あるいは例えば０９００  １００７または０９００  ＲＡＤＩＯ１などの特定の電話番号を介して情報サーバ１２に（分散モジュールコードなしで）ダイヤルすることによって、ユーザは、ラジオＩによって送信された番組についての追加情報を受け取る希望を示すことができる。
【００３５】
ユーザにより要求される二次情報は、特定のアドレスに特定の媒体を介して情報サーバによって送信されなければならない。この目的のため、ユーザは初期ログインステップで二次情報ブロックが送信される予定の情報サーバ１２に対するアドレス、及びインターネット９を介してユーザの電子メールアドレスに、あるいはユーザの端末７に電気通信網５を介してＳＭＳメッセージの形でなど、それがどのように送信されるのかを指定する。二次情報ブロックの送信先アドレスは、情報サーバ１２を呼び出すためにユーザにより使用される端末７の「発呼回線識別子」（ＣＬＩ）から情報サーバ１２によって引き出すことができる。所望される場合、情報サーバ１２は、（図示されていない）ＴＴＰ（「高信頼中間機関」）から、あるいはＣＬＩ及びユーザアドレスを含むレジスタを備える他のアドレスサーバからユーザの応答アドレスを引き出すことができる。
【００３６】
二次情報ブロックは――選択コードまたはタイムコードの、あるいは一次情報ブロックの関数として――放送サーバ２内の、情報サーバ１２内の、あるいは両方の上に分散されるレジスタに記憶され、最新に保たれる。二次情報を含むレジスタの例をここに示す。一次情報ブロックが放送された音楽の曲から成り立ち、二次情報ブロックが省略形式で以下に示されるＣＤ情報等から成り立っていることに注意する。さらに詳細な「録音テープリスト」は、この例では、ｈｔｔｐ：／／ｗｗｗ．ｃｌａｓｓｉｃｆｍ．ｎｌ／ｄｅｚｅｗｅｅｋの下の「クラシックＦＭ」に詳説され、検出できる。そこに記録されている情報には注文情報は提供されていない。とりわけ――前記に示したようなハイパリンクから成り立つこのような注文情報は、例えば、情報サーバ１２にある。この目的のため、情報サーバ１２のマネージャは、ＢＯＬ．ｃｏｍ等のＣＤ供給業者と契約を結ぶことができる。
【００３７】
録音テープリスト  ２００１年１月３日
００：０１  Ｃａｒｎａｖａｌ  ｄｅｓ  ａｎｉｍａｕｘ（１４）−Ｃａｍｉｌｌｅ  Ｓａｉｎｔ−Ｓａｅｎｓ
００：０３  Ｃｅｎｔ  ｍｉｌｌｅ  ｃｈａｎｓｏｎｓ−Ｍ．Ｍａｇｎｅ／Ｅ．Ｍａｒｎａｙ
００：０７  イ長調ＫＶ６２２（３）のクラリネットコンチェルト――ウルフガング・アマデウス・モーツアルト
００：０１５  Ｈｏｌｖｅｒｇ  ｓｕｉｔｅ  ｏｐ．４０（３）−Ｅｄｖａｒｄ  Ｇｒｉｅｇ
００：１８  タイタニック――ディスタントメモリーズ――Ｊａｍｅｓ  Ｈｏｒｎｅｒ
００：２１  イ長調（４）のバイオリンソナタ――Ｃｅｓａｒ  Ｆｒａｎｃｋ
００：２６  ニ長調「タイタン」（２）の交響曲１番――Ｇｕｓｔａｖ  Ｍａｈｌｅｒ
００：３４  カンタータＢＷＶ１５６――ヨハン・セバスチャン・バッハ
００：３６  Ｗｉｅｇｅｎｌｉｅｄ−Ｊｏｈａｎｎｅｓ  Ｂｒａｈｍｓ
００：３９  Ｆｉｒｅｂｉｒｄ  ｓｕｉｔｅ−Ｂｅｒｃｅｕｓｅ−Ｉｇｏｒ  Ｓｔｒａｖｉｎｓｋｙ
００：４２  Ｔｈｅ  ｅｎｃｈａｎｔｅｄ  ｌａｋｅ  ｏｐ．６２−Ａｎａｔｏｌｅ  Ｌｉａｄｏｖ
００５０：イ長調のピアノクィンテット、“Ｔｒｏｕｔ”クィンテット（２）――フランツ・シューベルト
０１：００  変ホ長調ｏｐ．７３（２及び３）ピアノコンチェルト５番――ルードビヒ・バン・ベートーベン
・
・
・
２３：１２  変ロ長調ｏｐ．４、１番（２）のオルガンコンチェルト――ジョージ・フリデリック・ヘンデル
２３：１８  真夏の夜の夢ｏｐ．６１――Ｅｎｔｒ‘ａｃｔｅ――フェリックス・メンデルスゾーン――Ｂａｒｔｈｏｌｄｙ
２３：２１  変ロ長調ＫＶ３６１（３）のセレナーデ１０番――ウルフガング・アマデウス・モーツアルト
２３：２６  Ｒｅｖｅｒｉｅ  おｐ。２４−Ａｌｅｘａｎｄｅｒ  Ｓｃｒｉａｂｉｎ
２３：３０  Ｌａｋｍｅ−Ｆｌｏｗｅｒ  ｄｕｅｔ−Ｌｅｏ  Ｄｅｌｉｂｅｓ
２３：３６  Ｄａｓ  ｗｏｈｌｔｅｍｐｅｒｉｅｒｔｅ  Ｋｌａｖｉｅｒ−Ｐｒｅｌ．ａｎｄ  Ｆｕｇｕｅ  Ｎｏ．１−Ｊｏｈａｎｎ  Ｓｅｂａｓｔｉａｎ  Ｂａｃｈ
２３：３９  Ｒｏｎｄｏ  ａ  ｃａｐｒｉｃｃｉｏ  ｉｎ  Ｇ  ｍａｊｏｒ  ｏｐ．１２９−Ｌｕｄｗｉｇ  ｖａｎ  Ｂｅｅｔｈｏｖｅｎ
２３：４５  Ｌａ  ｖｉｅ  ｅｓｔ  ｂｅｌｌｅ−Ａｎｄｒｅ  Ｒｉｅｕ
２３：４８  ハ長調ＫＶ４２５“Ｌｉｎｚｅｒ”の交響曲３６番クラリネットコンチェルト――ウルフガング・アマデウス・モーツアルト
二次情報ブロックは、それぞれ、関連する一次情報ブロックまたはその一部を有することがある。例えば、この例では、関連する音楽の曲（「アラベスク」）の一部（「序奏」）が、ＭＰ３ファイルの形式でユーザに送信できるだろう。
【００３８】
前記の例は、ユーザが――自分のテレビジョン受信機４を介して――興味のある情報を見たユーザが、さらに多くの情報または例えばサッカーの試合の重要なゴールの繰り返しなどの繰り返しを希望する可能性がある。前記に説明されたのと同様に、ユーザは、情報サーバ１２からまたは情報サーバ１２を介して追加「コンテンツ」を注文し、それを自分に送ってもらうことができる。
【００３９】
本発明が複数の方法で応用できることは明らかだろう。例えば、ラジオ放送及びテレビ放送の「広告ブロック」の中で、聴取者及び視聴者がそれぞれ追加の情報の受信を希望するだろう製品及びサービスを勧めることも可能である。彼らが広告ブロックの間または直後に自分の電話７を介して情報サーバ１２に電話（音声またはＳＭＳ）をすると、情報サーバは選択コード（ここではタイムコード）に基づき、どの広告ブロックに（及びどのラジオチャネルまたはテレビチャネルを介して）発呼者が興味を抱いたのかを突き止めることができる。それ以降、情報サーバ１２は、（放送サーバ２または別の「広告サーバ」から）関連する広告ブロックについての追加の二次情報を収集し、その追加サーバをユーザの端末７、７‘または１０に送信する。それ以降、聴取者／視聴者は、受信した二次情報から、自分にとって興味深い題材を選択し、おそらく――例えばその中に含まれるハイパリンクを介して――例えば注文情報などの追加情報を呼び出すことができる。
【００４０】
図２は、一次情報が、ラジオ放送システムまたはテレビ放送システムを介してではなく、他の媒体、この場合はフォルダまたは新聞、あるいは代わりに掲示板を介して分散される本発明による方法の図解を示している。図２は、例えば、「完全な料金表については、０９００ＳＮＡＰＳＨＯＴまでＳＭＳ＜１２３４５＞してください」などの簡単な説明が後に続く「あなたの携帯電話をＫＰＮでさらに使いやすくお安くしてください」という題の広告などの自分にとって特に関心がある情報を新聞またはフォルダ１４で発見したユーザ１３を示している。「ＳＮＡＰＳＨＯＰ」サービスがよく知られている――そして、ダイヤルイン番号も一般的に知られている――場合には、「完全な料金表については、スナップショット＜１２３４５＞に連絡してください」と述べれば十分である。それから、ユーザ１３は、自分の電話７を介して（ちなみに――総称的な――０９００サーバの一部を形成できる）「スナップショット」サーバ１２にＳＭＳメッセージを送信する。ユーザの電話のＣＬＩに基づき、サーバ１２――あるいは、図１の放送サーバ２と匹敵する分散サーバ１５――が、（公共の電話帳で、あるいはユーザが過去にログインしたことがある場合にはサーバ１２の中で）ユーザ１４のアドレスを調べ、完全な料金表を――郵便によってあるいは別の方法で――そのアドレスに送ることができる。
【００４１】
図２は、魅力的な車が示されている広告看板１７を通り過ぎたドライバーを示している。広告看板は、選択コード「ＮＥＷＣＡＲ」（だけ）から構成されるＳＭＳメッセージを送信することによりそれを経由して追加の二次情報を取得することができる「スナップショット」コード（選択コード）も表示している。ドライバーがそのメッセージを「スナップショット」サーバ１２に送信した後、サーバ１２は、ＣＬＩから認識された電話番号がサーバ１２でドライバーの自宅住所を指していると仮定し、コード「ＮＥＷＣＡＲ」によって選択された二次情報がドライバーの自宅に送られたことを確認する。
【００４２】
このようにして、本発明は、すべての種類の製品及びサービスを市場に出すための、進化した強力且つ効率的なプラットホームを形成する。
【図面の簡単な説明】
【００４３】
【図１】本発明のラジオ及びテレビ用の実施形態を示す図である。
【図２】本発明の他の実施形態を示す図である。
【国際公開パンフレット】
2004530963.tif 000003
2004530963.tif 000004
2004530963.tif 000005
2004530963.tif 000006
2004530963.tif 000007
2004530963.tif 000008
2004530963.tif 000009
2004530963.tif 000010
2004530963.tif 000011
2004530963.tif 000012
2004530963.tif 000013
2004530963.tif 000014
2004530963.tif 000015
2004530963.tif 000016
2004530963.tif 000017
2004530963.tif 000018
2004530963.tif 000019
2004530963.tif 000020
2004530963.tif 000021
2004530963.tif 000022
2004530963.tif 000023
2004530963.tif 000024
【国際調査報告】
2004530963.tif 000025
2004530963.tif 000026
2004530963.tif 000027
2004530963.tif 000028